(57)【要約】      （修正有）【課題】線状光源で発光する電球形式の灯具として、電球１つだけを利用して調色、調光可能な照明を実現できる灯具を提供する。【解決手段】灯具は、口金部１０と、光源部２０と、透光グローブ３０とを有し、透光グローブ３０と口金部１０とが接続して格納空間を形成し、光源部２０が格納空間に取り付けられるとともに口金部１０と電気的に接続し、光源部２０が、支持ステム２１とストリップライト２２とを有し、支持ステム２１が口金部１０に固定され、ストリップライト２２が、支持ステム２１を巻くように螺旋状に設置され、ストリップライト２２が、並列した複数本の発光フィラメントにより構成され、各発光フィラメントが、それぞれ異なる色の光を発し、それぞれ口金部１０に電気的に接続され、複数本の発光フィラメントがそれぞれ単独に発光し又は複数本の発光フィラメントが任意に組み合わせられて発光する。【選択図】図２
0003232707.tif 000002
【実用新案登録請求の範囲】
【請求項１】
口金部（１０）と、光源部（２０）と、透光グローブ（３０）とを有し、前記透光グローブ（３０）と前記口金部（１０）とが接続して格納空間を形成し、前記光源部（２０）が前記格納空間に取り付けられるとともに前記口金部（１０）と電気的に接続する、灯具において、
前記光源部（２０）が、支持ステム（２１）とストリップライト（２２）とを有し、前記支持ステム（２１）が前記口金部（１０）に固定され、前記ストリップライト（２２）が、前記支持ステム（２１）を巻くように螺旋状に設置され、前記ストリップライト（２２）が、並列した複数本の発光フィラメントにより構成され、
各前記発光フィラメントが、それぞれ異なる色の光を発するものであり、それぞれ前記口金部（１０）に電気的に接続され、各前記発光フィラメントがそれぞれ単独に発光し又は複数本の前記発光フィラメントが任意に組み合わせられて発光する
ことを特徴とする灯具。
【請求項２】
各前記発光フィラメントから前記支持ステム（２１）の中心軸線までの垂直距離は同じである
ことを特徴とする請求項１に記載の灯具。
【請求項３】
前記ストリップライト（２２）は、前記口金部（１０）から、前記支持ステム（２１）の前記口金部（１０）から離隔する端部への方向において、半径が漸減して前記支持ステム（２１）を巻くように螺旋状に設置される
ことを特徴とする請求項１に記載の灯具。
【請求項４】
前記ストリップライト（２２）は、金属基層（２２０）をさらに有し、複数本の前記発光フィラメントが、前記金属基層に並列して密接し、前記金属基層（２２０）が、ストリップライトの前記支持ステム（２１）に近い側に設置され、金属基層が、前記支持ステム（２１）を巻くように螺旋状に形成されたストリップライトの内側に設置され、前記金属基層（２２０）と前記支持ステム（２１）とが離隔するように配置される
ことを特徴とする請求項２又は３に記載の灯具。
【請求項５】
前記支持ステム（２１）は、中心バー（２１１）と、１つの第１接続端子（２１２）と、複数の第２接続端子（２１３）とを備え、前記中心バー（２１１）の第１端が前記口金部（１０）に固定され、前記第１接続端子（２１２）が前記中心バー（２１１）に沿って前記中心バー（２１１）の第２端まで延在して固定され、複数本の前記発光フィラメントの第１端子がいずれも前記第１接続端子（２１２）と電気的に接続し、複数の前記第２接続端子（２１３）が、前記中心バー（２１１）の第１端に設置されるとともに、複数本の前記発光フィラメントと１対１で対応するように電気的に接続し、前記第１接続端子（２１２）と前記第２接続端子（２１３）が、それぞれ前記口金部（１０）と電気的に接続する
ことを特徴とする請求項４に記載の灯具。
【請求項６】
前記支持ステム（２１）は、少なくとも１つの補助金属バー（２１４）をさらに有し、
前記補助金属バー（２１４）は、第１端が前記中心バー（２１１）に接続され、第２端が前記金属基層（２２０）に接続される
ことを特徴とする請求項５に記載の灯具。
【請求項７】
前記金属基層（２２０）がアルミニウム材料で作製され、前記補助金属バー（２１４）がモリブデンワイヤ又はニッケルメッキ鉄ワイヤで作製され、前記補助金属バー（２１４）の第２端と前記金属基層（２２０）とが溶接で固定される
ことを特徴とする請求項６に記載の灯具。
【請求項８】
前記口金部（１０）は、放熱アッセンブリ（１１）と駆動アッセンブリ（１２）とを有し、前記放熱アッセンブリ（１１）と前記透光グローブ（３０）とが接続して前記格納空間を形成し、前記駆動アッセンブリ（１２）が前記放熱アッセンブリ（１１）に接続されるとともに前記格納空間に位置し、前記第１接続端子（２１２）と複数の前記第２接続端子（２１３）が、それぞれ前記駆動アッセンブリ（１２）と電気的に接続する
ことを特徴とする請求項５に記載の灯具。
【請求項９】
各前記発光フィラメントが蛍光層によって包まれ、複数本の前記発光フィラメントが、前記蛍光層によって覆われるとともに並列して配置され、各前記発光フィラメントの蛍光層のそれぞれに包まれた金属ベース板をさらに有する
ことを特徴とする請求項２又は３に記載の灯具。
【請求項１０】
複数本の前記発光フィラメントは、赤色光フィラメント（２２１）、緑色光フィラメント（２２２）、青色光フィラメント（２２３）、白色光フィラメント（２２４）を含む
ことを特徴とする請求項１に記載の灯具。
【考案の詳細な説明】
【技術分野】
【０００１】
本考案は、照明設備の技術分野に属し、殊に、灯具に関する。
【背景技術】
【０００２】
電気と電球との結合により、闇の夜を照らしたととともに鮮やかな世界をもたらした。現在、人々が、灯具を利用して異なる色の光を発し、これらの異なる色の光を複合させて、多様でカラフルな雰囲気用照明を実現できた。従来技術では、同一のＬＥＤ灯具は、異なるＬＥＤビーズを利用して異なる色の光を発し、ランプカバー内で異なる色の光を複合させて、求める色の光を得て出射させる。このようなＬＥＤ灯具は、通常、平面出光形式のパネルライトである。しかしながら、より広く応用されている線状光源で発光する電球形式の灯具において、電球１つだけを利用して調色、調光可能な照明を実現できる灯具製品が未だになかった。
【考案の概要】
【考案が解決しようとする課題】
【０００３】
本考案は、従来技術で、線状光源で発光する電球形式の灯具として、電球１つだけを利用して調色、調光可能な照明を実現できる灯具製品が未だになかった課題を解決するための灯具を提供することを目的とする。
【課題を解決するための手段】
【０００４】
上記目的を実現するために、本考案は、下記の技術案を採用する。灯具は、口金部と、光源部と、透光グローブとを有し、透光グローブと口金部とが接続して格納空間を形成し、光源部が格納空間に取り付けられるとともに口金部と電気的に接続し、光源部が、支持ステムとストリップライトとを有し、支持ステムが口金部に固定され、ストリップライトが、支持ステムを巻くように螺旋状に設置され、ストリップライトが、並列した複数本の発光フィラメントにより構成され、各発光フィラメントが、それぞれ異なる色の光を発するものであり、それぞれ口金部に電気的に接続され、各発光フィラメントがそれぞれ単独に発光し又は複数本の発光フィラメントが任意に組み合わせられて発光する。
【０００５】
任意選択で、各発光フィラメントから支持ステムの中心軸線までの垂直距離は同じである。
【０００６】
任意選択で、ストリップライトは、口金部から、支持ステムの口金部から離隔する端部への方向において、半径が漸減して支持ステムを巻くように螺旋状に設置される。
【０００７】
任意選択で、ストリップライトは、金属基層をさらに有し、複数本の発光フィラメントが、金属基層に並列して密接し、金属基層が、ストリップライトの支持ステムに近い側に設置され、金属基層が、支持ステムを巻くように螺旋状に形成されたストリップライトの内側に設置され、金属基層と支持ステムとが離隔するように配置される。
【０００８】
任意選択で、支持ステムは、中心バーと、１つの第１接続端子と、複数の第２接続端子とを備え、中心バーの第１端が口金部に固定され、第１接続端子が中心バーに沿って中心バーの第２端まで延在して固定され、複数本の発光フィラメントの第１端子がいずれも第１接続端子と電気的に接続し、複数の第２接続端子が、中心バーの第１端に設置されるとともに、複数本の発光フィラメントと１対１で対応するように電気的に接続し、第１接続端子と第２接続端子が、それぞれに口金部と電気的に接続する。
【０００９】
任意選択で、支持ステムは、少なくとも１つの補助金属バーをさらに有し、補助金属バーは、第１端が中心バーに接続され、第２端が金属基層に接続される。
【００１０】
任意選択で、金属基層がアルミニウム材料で作製され、補助金属バーがモリブデンワイヤ又はニッケルメッキ鉄ワイヤで作製され、補助金属バーの第２端と金属基層とが溶接で固定される。
【００１１】
任意選択で、口金部は、放熱アッセンブリと駆動アッセンブリとを有し、放熱アッセンブリと透光グローブとが接続して格納空間を形成し、駆動アッセンブリが放熱アッセンブリに接続されるとともに格納空間に位置し、第１接続端子と複数の第２接続端子が、それぞれ駆動アッセンブリと電気的に接続する。
【００１２】
任意選択で、各発光フィラメントが蛍光層によって包まれ、複数本の発光フィラメントが、蛍光層によって覆われるとともに並列して配置され、各発光フィラメントの蛍光層のそれぞれに包まれた金属ベース板をさらに有する。
【００１３】
任意選択で、複数本の発光フィラメントは、赤色光フィラメント、緑色光フィラメント、青色光フィラメント、白色光フィラメントを含む。
【００１４】
本考案は、少なくとも下記の有益効果を有する。
【００１５】
本考案による照明、調光、調色の機能を備えた灯具を利用して光を出射して照明する場合、それぞれ異なる色の光を発する複数本の発光フィラメントを、口金部の制御でそれぞれ単独に発光させ、又は任意に組み合わせられて発光させることにより、多色の出射光照明及び調光、調色可能な出射光照明が実現され、異なるシーンの照明作業要求を満たすことができる。
【００１６】
本考案の実施例の技術案をより明瞭に説明するため、以下、実施例又は従来技術の説明に必要な図面を簡単に説明する。説明する図面は、本考案の一部の実施例を示すものにすぎず、当業者は、発明能力を用いなくても、これらの図面に基づいて他の関連図面を得ることが可能である。
【図面の簡単な説明】
【００１７】
【図１】本考案の実施例１による灯具の模式的構成図である。
【図２】本考案の実施例１による灯具の分解図である。
【図３】本考案の実施例１による灯具における光源部の模式的構成図である。
【図４】図３の部分構成の分解図である。
【図５】本考案の実施例１による灯具におけるストリップライトの模式的構成図である。
【図６】本考案の実施例２による灯具における光源部の部分断面図である。
【図７】本考案の実施例３による灯具における光源部の部分断面図である。
【考案を実施するための形態】
【００１８】
以下、本考案の実施例をより詳細に説明する。前記実施例が図面に例示され、そのうち、同様または類似の符号が、同様又は類似の素子或いは同様又は類似の機能を備える素子を表している。図面を参照しながら説明される実施例は、本考案を説明するための例示的なものであり、本考案を限定するものではない。
【００１９】
本考案の説明において、「長さ」、「幅」、「上」、「下」、「前」、「後」、「左」、「右」、「鉛直」、「水平」、「頂」、「底」、「内」、「外」等の用語で表される方向又は位置関係は、図面に基づくものであり、本考案を便宜的に及び簡略に説明するためのものにすぎず、該当装置又は要素が、必ず特定の方向を有したり、特定の方向に構成されたり、操作されたりするものではないため、本考案を限定するものではないと理解すべきである。
【００２０】
また、「第１」及び「第２」などの用語は、説明するためのものにすぎず、相対重要性を明示又は暗示したり、技術的特徴の数を暗示したりするものではない。このため、「第１」及び「第２」などにより限定される特徴は、１つ又は複数の該特徴を含むことを明示又は暗示することができる。本考案の説明において、別途の具体的な限定がない限り、「複数」は、２つ以上を意味する。
【００２１】
本考案において、明確な定義や限定がない限り、「取付」、「連係」、「接続」、「固定」などの用語を、広義的に理解すべきである。例えば、固定接続でもよいし、取外し可能な接続でもよいし、一体的な接続でもよい。そして、機械的な接続でもよいし、電気的な接続でもよい。また、直接接続してもよいし、中間物を介して間接的に接続してもよいし、２つの素子の内部が連通し又は２つの素子が相互に作用してもよい。当業者は、本考案における上記用語の具体的な意味を、具体的な状況に応じて理解することができる。
【００２２】
図１及び図２に示すように、本考案の実施例１による灯具は、光を出射させて照明することができるとともに、調色、調光、出射光の色温度調整もできる。具体的に、該灯具は、口金部１０と、光源部２０と、透光グローブ３０とを有する。光源部２０は、支持ステム２１とストリップライト２２とを有する。組立により、透光グローブ３０と口金部１０とが接続して格納空間を形成し、光源部２０が格納空間に取り付けられるとともに口金部１０と電気的に接続し、口金部１０が、家の電気回路につながることにより給電を行って、光源部２０を発光させるように制御する。支持ステム２１は、ストリップライト２２を組み立てる支持部材として口金部１０に固定される。そして、ストリップライト２２は、支持ステム２１を巻くように螺旋状に設置され、したがって、ストリップライト２２が格納空間内で全周に亘って光を出射させることができ、より広範囲に光を出射できる。該灯具において、ストリップライト２２は、並列した複数本の発光フィラメントにより構成される。図５に示すように、各発光フィラメントは、それぞれ異なる色の光を発するものであり、それぞれ口金部１０に電気的に接続され、口金部１０を介する給電、制御により、複数本の発光フィラメントがそれぞれ単独に発光し、又は、複数本の発光フィラメントが任意に組み合わせられて発光する。各発光フィラメントがそれぞれ単独に発光する場合、単色の出射光照明を実現でき、複数本の発光フィラメントが任意に組み合わせられて発光する場合、調光、調色の機能を実現でき、異なる組み合わせで発光することにより、出射光の色温度の調節も実現でき、したがって、灯具の出射光を多様化させ、異なるシーンの照明作業要求を満たすことができる。
【００２３】
本考案による照明、調光、調色の機能を備えた灯具を利用して光を出射して照明する場合、それぞれ異なる色の光を発する複数本の発光フィラメントを、口金部１０の制御でそれぞれ単独に発光させ、又は任意に組み合わせて発光させることにより、多色の出射光照明及び調光、調色可能な出射光照明が実現され、異なるシーンの照明作業要求を満たすことができる。
【００２４】
実施例１では、各発光フィラメントが蛍光層（図示しない）によって包まれ、したがって、複数本の発光フィラメントが、蛍光層によって覆われるとともに並列してストリップライト２２を構成する。そして、各発光フィラメントの蛍光層のそれぞれに包まれた細長い金属ベース板をさらに有する（図示しない）。該金属ベース板の具体的な材質として、鉄、銅合金、アルミニウム合金などを用いることができ、そのうち、アルミニウム合金材質のものが好ましい。したがって、ストリップライトを、求める形状に曲げて形成して支持ステム２１を巻くように螺旋状に設置するとともに、螺旋形状を変形させないように安定に保つことができる。
【００２５】
本出願では、各発光フィラメントは、ＬＥＤフィラメントである。実施例１では、各ＬＥＤフィラメントは、細長い金属ベース板に絶縁層を設け、そして絶縁層にＬＥＤビーズ及び回路を設置することで、ＬＥＤフィラメントの基本体を形成し、そして、蛍光層でＬＥＤビーズ及び回路を、金属ベース板とともに覆うように封止して、ＬＥＤフィラメントの完成品をなしたものである。
【００２６】
図１〜図４に示すように、実施例１では、ストリップライト２２が支持ステム２１を巻くように螺旋状に設置された状態で、各発光フィラメントから支持ステム２１の中心軸線までの垂直距離が同じであり、ストリップライト２２からの光が全周に亘って出光して透光グローブ３０から出射して照明するとき、より大きな範囲をカバーする照明領域を形成できる。
【００２７】
或いは、実施例１では、螺旋状に設置されたストリップライト２２は、口金部１０から、支持ステム２１の口金部１０から離隔する端部への方向において、半径が漸減して支持ステム２１を巻くように螺旋状に設置される。この場合、ストリップライト２２からの光が全周に亘って出光して透光グローブ３０から出射して照明するとき、より大きな範囲をカバーする照明領域を形成できるとともに、鉛直な下方向に向かう出射光照明について、半径が漸減して支持ステム２１を巻くように螺旋状に設置される方式により、ストリップライト２２による影を効果的に抑え、鉛直な下方向に向かう照明効果を高めることができる。
【００２８】
具体的に、複数本の発光フィラメントは、赤色光フィラメント２２１と、緑色光フィラメント２２２と、青色光フィラメント２２３と、白色光フィラメント２２４とを含む。該灯具が光を出射させて照明するとき、赤色光フィラメント２２１、緑色光フィラメント２２２、青色光フィラメント２２３或いは白色光フィラメント２２４が、それぞれ単独に点灯してなした単色光の出射光照明、及び組み合わせる方式による調光、調色された出射光照明を実現できる。具体的に、赤色光フィラメント２２１と緑色光フィラメント２２２とを同時に点灯することで黄色光の出射光照明を実現でき、緑色光フィラメント２２２と青色光フィラメント２２３とを同時に点灯することでシアン色光の出射光照明を実現でき、赤色光フィラメント２２１と青色光フィラメント２２３とを同時に点灯することでマゼンタ色光の出射光照明を実現でき、赤色光フィラメント２２１と緑色光フィラメント２２２と青色光フィラメント２２３とを同時に点灯することで白色光の出射光照明を実現でき、赤色光フィラメント２２１と緑色光フィラメント２２２と青色光フィラメント２２３とを、白色光フィラメント２２４とともに同時に点灯することで、より明るい白色光の出射光照明効果を実現できる。
【００２９】
図３及び図４に示すように、支持ステム２１は、支持ステムコネクタ２１０と、中心バー２１１と、１つの第１接続端子２１２と、複数の第２接続端子２１３とを備える。実施例１では、中心バー２１１がガラス材料で製造されたものであり、透光グローブ３０が透明なガラスバルブである。図２に示すように、口金部１０が、放熱アッセンブリ１１と、駆動アッセンブリ１２と、口金接続部材１３とを有する。放熱アッセンブリ１１と透光グローブ３０とが接続して格納空間を形成し、中心バー２１１の第１端が支持ステムコネクタ２１０を介して放熱アッセンブリ１１に固定され、即ち、支持ステムコネクタ２１０とガラスバルブとを焼結してストリップライト２２を格納するための包み空間を形成するとともに、該包み空間内に例えばヘリオックスガスのような不活性保護気体を導入する。ヘリオックスガスにより、ストリップライト２２の発光時に集中した熱をガラスバルブへ効果的に伝達して、放熱することができる。そして、ガラスバルブと放熱アッセンブリ１１とを固定接続する。最後に、口金接続部材１３を放熱アッセンブリ１１に固定接続して、口金接続部材１３と家の電気回路との電気的な接続により、導通して給電する。第１接続端子２１２は中心バー２１１に沿って中心バー２１１の第２端まで延在して固定される。複数本の発光フィラメントの第１端子がいずれも第１接続端子２１２と電気的に接続する。複数の第２接続端子２１３は、中心バー２１１の第１端に設置されるとともに、複数本の発光フィラメントと１対１で対応するように電気的に接続する。第１接続端子２１２と第２接続端子２１３が、それぞれ口金部１０と電気的に接続する。駆動アッセンブリ１２が放熱アッセンブリ１１に接続されるとともに格納空間に位置する。第１接続端子２１２と複数の第２接続端子２１３が、それぞれに駆動アッセンブリ１２と電気的に接続する。
【００３０】
実施例１では、駆動アッセンブリ１２は、同一の回路基板に設置される制御モジュールとインテリジェントモジュールとを含む。制御モジュールが、技術の成熟したＭＣＵ制御チープを用いて複数本の発光フィラメントを制御して、それぞれの単独発光、又は任意の組み合わせによる発光を実現する。インテリジェントモジュールは、ブルートゥース（登録商標）、Ｗｉ−Ｆｉ、ＺｉｇＢｅｅ（登録商標）３．０（ＺｉｇＢｅｅ（登録商標）とは、低速、近距離の無線通信規格である）とを含むが、これに限定されない。インテリジェントモジュールの灯具に対する指令伝達により、灯具の作動の操作、制御を実現して、利用者に大きな利便性を提供する。
【００３１】
本考案のもう一局面とする、実施例２による灯具は、実施例１による灯具に対して下記の相違点がある。
【００３２】
実施例２による灯具において、図６に示すように、該灯具のストリップライト２２は、金属基層２２０をさらに有し、複数本の発光フィラメントが、金属基層２２０に並列して密接する。金属基層２２０を複数本の発光フィラメントの組立支持部材とし、ストリップライト２２を、支持ステム２１を巻くように螺旋状に設置するとき、金属基層２２０が、ストリップライト２２の支持ステム２１に近い側に設置され、即ち、金属基層２２０が、支持ステム２１を巻くように螺旋状に形成されたストリップライト２２の内側に設置され、そして、金属基層２２０と支持ステム２１とが離隔するように配置される。したがって、金属基層２２０の展延性及び可塑性により、ストリップライト２２を螺旋形状にしたあと安定に保つことができるとともに、各発光フィラメントが発光する際に生じた熱の一部を吸収、伝達することができる。
【００３３】
好ましくは、金属基層２２０がアルミニウム材料で作製される。金属基層２２０は、他の金属材料で製造してもよく、そして、各発光フィラメントを配置して組み立てる。
【００３４】
実施例２では、各発光フィラメントは、ＬＥＤフィラメントである。具体的に、ＬＥＤフィラメントは、ＦＰＣ基板にＬＥＤビーズを設置し、ＦＰＣ基板における印刷回路を介して電気的な接続を実現して、ＬＥＤフィラメントの基本体を形成する。ＦＰＣ基板が非常に柔らかくて、螺旋状に形成することができないため、該ＬＥＤフィラメントの基本体を金属基層２２０（金属基層２２０の幅を、４枚のＦＰＣ基板を並列した幅より略大きくする）に配置して、金属基層を介して螺旋状に形成させる。そして、ＦＰＣ基板と金属基層２２０とを絶縁層により絶縁させる。最後に、蛍光層を用いてＦＰＣ基板とＬＥＤ光源とを金属基層２２０に覆って封止して、４本のＬＥＤフィラメントからなるストリップライト２２に形成させる。
【００３５】
実施例２による灯具は、実施例１による灯具に対して、上記構成上の相違点以外、その他の構成が同じであるため、ここで説明を省略する。
【００３６】
本考案のもう一局面とする、実施例３による灯具は、実施例２による灯具に対して下記の相違点がある。
【００３７】
実施例３による灯具において、図７に示すように、支持ステム２１は、少なくとも１つの補助金属バー２１４をさらに有する。補助金属バー２１４は、第１端が中心バー２１１に接続され、第２端が金属基層２２０に接続される。一般的に、支持ステム２１を螺旋状に巻くストリップライト２２について、一周のストリップライト２２毎に、該当周のストリップライト２２の金属基層２２０に接続される１つの補助金属バー２１４を設けることで、ストリップライト２２に対する安定な支持を補助し、螺旋形状を変形させないように安定に保つことができる。
【００３８】
好ましくは、金属基層２２０がアルミニウム材料で作製され、補助金属バー２１４がモリブデンワイヤ又はニッケルメッキ鉄ワイヤで作製され、補助金属バー２１４の第２端と金属基層２２０とがスポット溶接で固定溶接される。或いは、金属基層２２０がアルミニウム材料で作製され、補助金属バー２１４もアルミニウム材料で作製される。或いは、補助金属バー２１４がアルミニウム材料で作製され、金属基層２２０が他の金属材料（例えば、鉄材料）で作製される。
【００３９】
実施例３による灯具は、実施例２による灯具に対して、上記構成上の相違点以外、その他の構成が同じであるため、ここで説明を省略する。
【００４０】
上記の記載は、本考案の好ましい実施例にすぎず、本考案を制限するものではない。本考案の本質及び主旨から逸脱しない限り、すべての変更、均等置換、改良等は、いずれも本考案の保護範囲内に属する。
【符号の説明】
【００４１】
１０   口金部
１１   放熱アッセンブリ
１２   駆動アッセンブリ
１３   口金接続部材
２０   光源部
２１   支持ステム
２１０ 支持ステムコネクタ
２１１ 中心バー
２１２ 第１接続端子
２１３ 第２接続端子
２１４ 補助金属バー
２２   ストリップライト
２２０ 金属基層
２２１ 赤色光フィラメント
２２２ 緑色光フィラメント
２２３ 青色光フィラメント
２２４ 白色光フィラメント
３０   透光グローブ
【図１】
0003232707.tif 000003
【図２】
0003232707.tif 000004
【図３】
0003232707.tif 000005
【図４】
0003232707.tif 000006
【図５】
0003232707.tif 000007
【図６】
0003232707.tif 000008
【図７】
0003232707.tif 000009